(57)【要約】内燃機関の排気系にＤＰＦを配置した、内燃機関の排気浄化装置において、ＤＰＦへのアッシュの堆積を抑制し、長期にわたって圧損の増加や、ＰＭ再生温度の増加、また、燃費の低下を抑制することができる、内燃機関の排気浄化装置を提供する。  ＤＰＦの表面上に、酸強度がＳＯ３の酸強度よりも大きくＳＯ４の酸強度よりも小さい固体酸をコーティングし、更に、内燃機関の排気系の、ＤＰＦの上流に、ＳＯｘ吸放出触媒装置を備え、ＤＰＦの温度を上昇させる制御と、ＤＰＦ内の雰囲気の空燃比の制御と、ＤＰＦの温度を上昇させる制御の間、ＤＰＦを通過する排気の流量が所定値を超えた場合に、ＳＯｘ吸放出触媒装置からＳＯ４を放出する制御と、を行う。
2013005337.tif 000002
【特許請求の範囲】
【請求項１】
内燃機関の排気系にＤＰＦを配置した、内燃機関の排気浄化装置であって、
前記ＤＰＦが、表面上に固体酸をコーティングしたＤＰＦであり、
前記固体酸の酸強度が、ＳＯ３の酸強度よりも大きくＳＯ４の酸強度よりも小さく、
前記内燃機関の排気系において、表面上に固体酸をコーティングした前記ＤＰＦの上流に、温度を上昇させることによりＳＯ４を放出する特性を有するＳＯｘ吸放出触媒装置を備え、
更に、前記ＤＰＦ内に堆積したアッシュを除去する、アッシュ再生運転の制御を備え、
前記アッシュ再生運転の制御が、
ＤＰＦの温度を上昇させる制御と、
ＤＰＦ内の雰囲気の空燃比の制御と、
前記ＳＯｘ吸放出触媒装置からＳＯ４を放出する制御と、を備え、
前記ＤＰＦ内の雰囲気の空燃比の制御が、前記ＤＰＦの温度を上昇させる制御の間に、先にストイキ又は空燃比リッチ雰囲気とし、次に空燃比リーン雰囲気に変化させる制御であり、
前記ＳＯｘ吸放出触媒装置からＳＯ４を放出する制御が、前記ＤＰＦの温度を上昇させる制御の間、前記ＤＰＦを通過する排気の流量が所定値を超えた場合に、前記ＳＯｘ吸放出触媒装置からＳＯ４を放出する制御である、
内燃機関の排気浄化装置。
【請求項２】
更に、前記ＤＰＦの温度を上昇させて前記ＤＰＦ内に堆積したＰＭを燃焼、除去する、ＰＭ再生運転の制御を備え、
前記アッシュ再生運転の制御を、複数の前記ＰＭ再生運転のうちの１つに引き続いて実施する、
請求項１に記載の内燃機関の排気浄化装置。
【請求項３】
前記ＳＯｘ吸放出触媒装置からＳＯ４を放出する制御が、更に、前記内燃機関の運転状態が加速状態にあるときに実施される制御である、
請求項１又は２に記載の内燃機関の排気浄化装置。
【発明の詳細な説明】
【技術分野】
【０００１】
本発明は、内燃機関の排気浄化装置に関する。
【背景技術】
【０００２】
内燃機関の排気ガス中の粒子状物質（以下「ＰＭ」という）の粒子数を低減するためには、内燃機関の排気ガス通路にディーゼルパティキュレートフィルタ（以下「ＤＰＦ」という）を設置して、排気中のＰＭを捕集、除去することが一般に行われている。【０００３】
この場合、ＤＰＦ内に捕集されたＰＭは次第に堆積していくので、定期的に或いはＤＰＦの性能低下を検知して、ＤＰＦ内に捕集されたＰＭを燃焼除去する再生（以下「ＰＭ再生」という）運転を行う。【０００４】
ＰＭ再生運転は、通常、ＤＰＦに還元剤、例えばハイドロカーボン（ＨＣ）等、を供給しつつ、ＤＰＦを加熱することによって行われる。【０００５】
ＤＰＦによって排気中のＰＭを捕集し、ＤＰＦ内に捕集されたＰＭを燃焼除去するＰＭ再生運転を行う構成に対しては、その性能向上やコスト低減のため、従来から様々な改良が提案されている。【０００６】
しかし、従来のＤＰＦにおいては、ＤＰＦの使用を継続していると、ＰＭ再生運転を行っても、次第にＤＰＦの圧力損失が増加し、また、ＰＭ再生温度を次第に増加させなければ十分な再生が行われなくなる、という問題があり、燃費が悪化する。この問題は、ＤＰＦ内部にアッシュが堆積することが原因である。【０００７】
アッシュは、エンジンのシリンダー内部に混入したエンジンオイルが燃焼することにより生成し、生成したアッシュ粒子は、ＤＰＦ内でＰＭに覆われる。ＰＭに覆われたアッシュ粒子は、ＤＰＦ内でＰＭ再生運転時の高温条件に晒され、アッシュ粒子を覆っていたＰＭが燃焼除去される。アッシュの堆積は、このＰＭが燃焼除去されたアッシュ粒子に、更に熱が加わることによって、アッシュ粒子が凝集し、大粒径化するために発生するものである。【０００８】
しかし、このようなアッシュの堆積に対しては、今まで有効な解決手段がなく、ＤＰＦにアッシュが堆積することによる影響を極力小さくするために、例えば、あらかじめ大容量のＤＰＦを設置しておくという対策がとられていた。【０００９】
すなわち、従来のＤＰＦに対する改良や、ＤＰＦの再生運転に対する改良は、ＤＰＦの捕集効率の改善や、ＰＭ再生運転の性能向上を目的とするものであり、アッシュの堆積に対するものではない。ＰＭ再生運転の性能向上を目的とするものとしては、例えば特許文献１に示された発明があり、特許文献１には、比較的低温でＰＭを燃焼させることができるＤＰＦの構成が示されている。【００１０】
特許文献１に示されたＤＰＦの構成は、ＤＰＦ及びこれを用いた排ガス浄化方法において、ＤＰＦに活性金属を担持した固体超強酸からなる触媒を、フィルタ表面に保持することを特徴とするものである。【００１１】
すなわち、特許文献１の発明は、活性金属を担持した固体超強酸により、ＰＭの燃焼温度を低下させ、従来よりも低温でＤＰＦを、できれば連続的に再生すると共に、ＣＯ、ＨＣ、ＮＯ、ＮＯ２をも同時に除去することができるというものである。【００１２】
したがって、特許文献１の発明は、ＰＭ再生運転の性能向上を目的としたものであり、アッシュの堆積に対応するものではなく、ＤＰＦの使用を継続していると、ＰＭ再生運転を行っても、次第にＤＰＦの圧力損失が増加し、また、ＰＭ再生温度を次第に増加させなければ十分な再生が行われなくなり、燃費が悪化する、という問題を解決するものではない。【００１３】
また、特許文献１の発明に類似する触媒構成を開示したものとして、特許文献２の発明があるが、特許文献２には、ディーゼルエンジン排ガス浄化装置用触媒として、白金、パラジウム及びロジウムから選ばれる少なくとも１種の貴金属と、固体の超強酸とを有する触媒を利用すると、ディーゼルエンジン排ガス中の微粒子物質に含まれるＳＯＦ（Ｓｏｌｕｂｌｅ  Ｏｒｇａｎｉｃ  Ｆｒａｃｔｉｏｎ）や未燃焼炭化水素などを低温域から浄化することができ、高温域においても二酸化硫黄の酸化抑制効果を示すと記載されており、特許文献２の発明は、特許文献１の発明と類似する効果を狙ったものであり、また、ＤＰＦに関するものではない。したがって、ＤＰＦへのアッシュの堆積に対応するものではなく、ＤＰＦの使用を継続していると、ＰＭ再生運転を行っても、次第にＤＰＦの圧力損失が増加し、また、ＰＭ再生温度を次第に増加させなければ十分な再生が行われなくなり、燃費が悪化する、という問題を解決するものではない。
【先行技術文献】
【特許文献】
【００１４】
【特許文献１】特開２００６−２８９１７５号公報
【特許文献２】特開平１０−０３３９８５号公報
【発明の概要】
【発明が解決しようとする課題】
【００１５】
本発明は、ＤＰＦへのアッシュの堆積を抑制し、長期にわたって圧損の増加や、ＰＭ再生温度の増加、また、燃費の低下を抑制することができる、内燃機関の排気浄化装置を提供することを目的としている。【００１６】
すなわち、本発明は、ＤＰＦに堆積したアッシュを細粒径化して排出し、ＤＰＦを再生（以下「アッシュ再生」という）する構成を提供し、また、細粒径化されたＣａＳＯ４が滞留せずに放出され、アッシュ再生運転が、効果的に進行し、アッシュが高い放出率で除去されるので、長期にわたって圧損の増加や、ＰＭ再生温度の増加、また、燃費の低下を抑制することができる、という有利な効果を奏する、画期的なＤＰＦを提供するものである。【００１７】
本発明によれば、堆積したアッシュを細粒径化させて排出することができるので、更に付随する効果として、ＤＰＦの設置当初から従来よりも小型のＤＰＦを使用することができ、ＤＰＦの製造コストの低減のみならず、ＰＭ再生運転のエネルギーコストを低減することもできる。また、小型のＤＰＦを使用することができるということは、ＤＰＦの車両への搭載スペースを低減することができ、当該ＤＰＦを搭載した車両の重量を低減することができるということである。
【課題を解決するための手段】
【００１８】
本願の発明者は、ＤＰＦ内部へのアッシュの堆積の問題を研究し、アッシュの堆積原因を分析して、アッシュの主成分が、エンジンオイル中に含まれるカルシウム（Ｃａ）と排気中のＳＯｘとがイオン結合した、ＣａＳＯ４が主体であり、Ｃａ塩は融点が高いため、排気中ではアッシュが固体としてＤＰＦに流入し、凝集して、大粒径化するという知見を得た。【００１９】
更に、本願の発明者は、アッシュの大きさはサブミクロンのオーダーであり、これをナノミクロンのオーダーまで細粒径化すると、アッシュがＤＰＦをすり抜けることを、実験により確認した。【００２０】
更に、本願の発明者は、サブミクロンの大きさに大粒径化したＣａＳＯ４を、還元雰囲気におくと、ＣａＳＯ４のＳＯ４が還元されてＳＯ３となり、Ｃａとの結合が弱まること、及び、このときＤＰＦの表面上にＳＯ３よりも強い酸が存在すると、ＣａＳＯ３のＣａとＳＯ３との結合が切断され、ＣａイオンがＤＰＦの表面上のＳＯ３よりも強い酸の上に原子状に分散して結合するということを、実験により確認した。【００２１】
更に、本願の発明者は、ＤＰＦの表面上のＳＯ３よりも強い酸と結合したＣａイオンは、ＤＰＦの表面上のＳＯ３よりも強い酸と比べて、更に強い酸が雰囲気中に存在すると、雰囲気中の更に強い酸と結合して、ＤＰＦから放出され、ＤＰＦをすり抜けて排出されるというということを、実験により確認した。【００２２】
以上を整理すると、ＤＰＦの表面上のＳＯ３よりも強い酸として、この酸の酸強度を、ＳＯ３よりも強くＳＯ４よりも弱い酸強度とすれば、サブミクロンの大きさに大粒径化してＤＰＦ内に堆積したＣａＳＯ４は、還元雰囲気において、ＣａＳＯ４のＳＯ４が還元されてＣａＳＯ３となり、ＣａＳＯ３のＣａイオンが、ＤＰＦの表面上の酸と結合し、ＤＰＦの表面上に原子状に分散する。次に、雰囲気中にＳＯ４を存在させれば、ＤＰＦの表面上のＣａは、雰囲気中のＳＯ４と結合して、サブナノメートルの大きさのＣａＳＯ４となってＤＰＦから放出される。【００２３】
排気ガスの雰囲気が、ストイキ又はリッチ雰囲気である場合には、上述の還元雰囲気であり、リーン雰囲気である場合には、リーン雰囲気にはＳＯ４が含まれている。そこで、上述のＤＰＦに対して、雰囲気をストイキ又はリッチ雰囲気にする制御と、次にリーン雰囲気にする制御と、を行えば、ストイキ又はリッチ雰囲気において、ＤＰＦに堆積したアッシュのＣａイオンが、ＤＰＦの表面上に原子状に分散し、次に次にリーン雰囲気において、ＤＰＦの表面上のＣａが、リーン雰囲気中のＳＯ４と結合してＤＰＦから放出され、サブナノメートルの大きさに細粒径化したＣａＳＯ４となってＤＰＦをすり抜け、排出される。【００２４】
すなわち、以上の過程では、最初の、サブミクロンの大きさに大粒径化してＤＰＦに堆積したＣａＳＯ４が、最終的に、再びＣａＳＯ４となってＤＰＦから放出されるが、放出されるＣａＳＯ４は、サブナノメートルの大きさに細粒径化されており、ＤＰＦをすり抜けて排出される。【００２５】
しかし、以上のアッシュ再生運転を行う場合、ＤＰＦを通過する排気ガスの流速が遅いと、細粒径化されたＣａＳＯ４が滞留して再凝集し、ＤＰＦからの放出が起こりにくくなるという問題がある。【００２６】
本発明は、この問題を解決するために、ＤＰＦを通過する排気ガスの流速が速いときに、アッシュの放出に必要なＳＯ４を供給し、細粒径化されたＣａＳＯ４が、効果的に放出されるようにするものである。すなわち、本発明によって、細粒径化されたＣａＳＯ４が滞留せずに放出され、アッシュ再生運転が、効果的に進行する。【００２７】
また、以上のアッシュ再生運転を行う場合、通常、アッシュは、ＤＰＦ内に堆積したＰＭの中に埋没した状態にある。したがって、この状態でアッシュ再生を行おうとしても、サブミクロンの大きさに大粒径化してＤＰＦ内に堆積したＣａＳＯ４が還元雰囲気と接触することができないために、ＣａＳＯ４のＳＯ４が還元されない。或いは、還元されてＣａＳＯ３となったアッシュも、ＤＰＦの表面上の固体酸に接触することができない。したがって、アッシュを効果的に分解するためには、ＰＭ再生運転によってＰＭを燃焼、除去した後、アッシュ再生運転を行うことが好ましい。【００２８】
アッシュ再生運転とＰＭ再生運転とは、それぞれ、アッシュの堆積状況と、ＰＭの堆積状況と、に応じて行うが、通常、アッシュ再生運転の頻度は、ＰＭ再生運転の頻度よりも少なくてよく、また、アッシュ再生運転とＰＭ再生運転とは、ほぼ同一の温度で行うことができるので、アッシュ再生運転は、ＰＭ再生運転の温度上昇を利用して、複数のＰＭ再生運転のうちの１つに引き続いて実施するのが効率的である。【００２９】
更に、内燃機関の運転状態が加速状態にあるときは、排気ガスの流速が速いという条件になりやすい。したがって、上述のアッシュ再生運転を行う場合、内燃機関の運転状態が加速状態にあるときに、排気ガスの流速が速いかどうかを判定し、ＳＯ４を供給する制御を行うようにすると、アッシュ再生運転のタイミングを、効率的に決定することができる。【００３０】
請求項１に記載の発明によれば、内燃機関の排気系にＤＰＦを配置した、内燃機関の排気浄化装置であって、ＤＰＦが、表面上に固体酸をコーティングしたＤＰＦであり、固体酸の酸強度が、ＳＯ３の酸強度よりも大きくＳＯ４の酸強度よりも小さく、内燃機関の排気系において、表面上に固体酸をコーティングした前記ＤＰＦの上流に、温度を上昇させることによりＳＯ４を放出する特性を有するＳＯｘ吸放出触媒装置を備え、更に、ＤＰＦ内に堆積したアッシュを除去する、アッシュ再生運転の制御を備え、アッシュ再生運転の制御が、ＤＰＦの温度を上昇させる制御と、ＤＰＦ内の雰囲気の空燃比の制御と、ＳＯｘ吸放出触媒装置からＳＯ４を放出する制御と、を備え、ＤＰＦ内の雰囲気の空燃比の制御が、ＤＰＦの温度を上昇させる制御の間に、先にストイキ又は空燃比リッチ雰囲気とし、次に空燃比リーン雰囲気に変化させる制御であり、ＳＯｘ吸放出触媒装置からＳＯ４を放出する制御が、ＤＰＦの温度を上昇させる制御の間、ＤＰＦを通過する排気の流量が所定値を超えた場合に、ＳＯｘ吸放出触媒装置からＳＯ４を放出する制御である、内燃機関の排気浄化装置が提供される。【００３１】
すなわち、請求項１の発明では、ＤＰＦの表面上に、ＳＯ３よりも強くＳＯ４よりも弱い酸強度の固体酸を塗布することによって、ＤＰＦを構成する。このように構成したＤＰＦに対して、還元雰囲気にした排気ガスを通過させると、大粒径化してＤＰＦに堆積したＣａＳＯ４は、還元雰囲気中で、ＣａＳＯ４のＳＯ４が還元されてＣａＳＯ３となり、ＣａＳＯ３のＣａイオンがＤＰＦの表面上の固体酸と結合し、次に、雰囲気中にＳＯ４を存在させれば、ＤＰＦの表面上のＣａは、雰囲気中のＳＯ４と結合して、ＣａＳＯ４となってＤＰＦから放出される。この過程を経て放出されたＣａＳＯ４は、細粒径化されているため、最初の大粒径化したＣａＳＯ４が、細粒径化されたＣａＳＯ４となってＤＰＦから放出され、ＤＰＦをすり抜けて排出される。ここで、細粒径化されたＣａＳＯ４が滞留して再凝集し、ＤＰＦからの放出が起こりにくくなることを避けるために、ＤＰＦを通過する排気ガスの流速が速いときに、アッシュの放出に必要なＳＯ４を供給し、細粒径化されたＣａＳＯ４が、効果的に放出されるようにする。したがって、細粒径化されたＣａＳＯ４が滞留せずに放出され、アッシュ再生運転が、効果的に進行し、アッシュが高い放出率で除去されるので、ＤＰＦへのアッシュの堆積を抑制し、長期にわたって圧損の増加や、ＰＭ再生温度の増加、また、燃費の低下を抑制することができる、内燃機関の排気浄化装置が提供される。【００３２】
請求項２に記載の発明によれば、更に、ＤＰＦの温度を上昇させて前記ＤＰＦ内に堆積したＰＭを燃焼、除去する、ＰＭ再生運転の制御を備え、アッシュ再生運転の制御を、複数のＰＭ再生運転のうちの１つに引き続いて実施する、請求項１に記載の内燃機関の排気浄化装置、が提供される。【００３３】
すなわち、請求項２の発明では、アッシュ再生運転の制御を、複数のＰＭ再生運転のうちの１つに引き続いて実施する。通常、アッシュ再生運転の頻度は、ＰＭ再生運転の頻度よりも少なくてよく、また、アッシュ再生運転とＰＭ再生運転とは、ほぼ同一の温度で行うことができるので、アッシュ再生運転の制御を、複数のＰＭ再生運転のうちの１つに引き続いて実施すると、ＰＭの中に埋没した状態にあった大粒径化したＣａＳＯ４が、還元雰囲気に晒されるようになり、また、還元されてＣａＳＯ３となったアッシュが、ＤＰＦの表面上の固体酸に接触するようになり、ＰＭ再生運転に続くアッシュ再生運転が、効果的に進行する。また、ＤＰＦを通過する排気ガスの流速が速いときに、アッシュの放出に必要なＳＯ４を供給し、細粒径化されたＣａＳＯ４が、効果的に放出されるようにする。したがって、細粒径化されたＣａＳＯ４が滞留せずに放出され、アッシュ再生運転が、効果的に進行し、アッシュが高い放出率で除去されるので、ＤＰＦへのアッシュの堆積を抑制し、長期にわたって圧損の増加や、ＰＭ再生温度の増加、また、燃費の低下を抑制することができる、内燃機関の排気浄化装置が提供される。【００３４】
請求項３に記載の発明によれば、ＳＯｘ吸放出触媒装置からＳＯ４を放出する制御が、更に、内燃機関の運転状態が加速状態にあるときに実施される制御である、請求項１又は２に記載の内燃機関の排気浄化装置、が提供される。【００３５】
すなわち、請求項３の発明では、内燃機関の運転状態が加速状態にあるときは、排気ガスの流速が速いという条件になりやすので、内燃機関の運転状態が加速状態にあるときに、排気ガスの流速が速いかどうかを判定して、ＳＯ４を供給する制御を行うようにし、アッシュ再生運転のタイミングを、効率的に決定することができる。したがって、細粒径化されたＣａＳＯ４が滞留せずに放出され、アッシュ再生運転が、効果的に進行し、アッシュが高い放出率で除去されるので、ＤＰＦへのアッシュの堆積を抑制し、長期にわたって圧損の増加や、ＰＭ再生温度の増加、また、燃費の低下を抑制することができる、内燃機関の排気浄化装置が提供される。
【発明の効果】
【００３６】
各請求項に記載の発明によれば、アッシュ再生の構成が提供され、アッシュ再生運転において、細粒径化されたＣａＳＯ４が滞留せずに放出され、アッシュ再生運転が、効果的に進行し、アッシュが高い放出率で除去されるので、ＤＰＦへのアッシュの堆積を抑制し、長期にわたって圧損の増加や、ＰＭ再生温度の増加、また、燃費の低下を抑制することができる、内燃機関の排気浄化装置が提供するという、共通の効果を奏する。
【図面の簡単な説明】
【００３７】
図１は、本発明を内燃機関の排気浄化装置に適用した場合の、装置配置の実施形態の概略構成を説明する図である。
図２は、本発明を実施する効果を説明する図である。
図３は、本発明の制御の実施形態の概略構成を説明するフローチャートである。
図４は、本発明の原理を説明する図である。
図５は、本発明の原理を説明する図である。
図６は、本発明の原理を説明する図である。
図７は、本発明の制御の原理を説明する図である。
図８は、本発明の制御の実施形態を説明する図である。
図９は、本発明の制御の別の実施形態を説明する図である。
図１０は、本発明の制御の更に別の実施形態を説明する図である。
【発明を実施するための形態】
【００３８】
以下、添付図面を用いて本発明の実施形態について説明する。なお、複数の添付図面において、同一又は相当する部材には、同一の符号を付している。
【００３９】
図１は、本発明の基本構成を示す図であり、ＤＰＦ２の表面上に、詳細にはＤＰＦ２のＤＰＦ基材の表面上に、酸強度がＳＯ３以上でＳＯ４以下に相当する固体酸を塗布する。また、内燃機関１の排気系の、ＤＰＦ２の上流に、ＳＯｘ吸放出触媒装置３０を備える。内燃機関１の排気は、ＳＯｘ吸放出触媒装置３０を経由してＤＰＦ２に導かれ、排気中のＳＯｘは、ＳＯｘ吸放出触媒装置３０によって捕集、除去され、排気中のＰＭは、ＤＰＦ２によって捕集、除去され、ＳＯｘ及びＰＭの除去された排気が排出される。ＤＰＦ２に捕集されたＰＭは次第に堆積していくので、定期的に或いはＤＰＦ２の性能低下を検知して、ＤＰＦ２内に捕集されたＰＭを燃焼除去するＰＭ再生運転を行う。
【００４０】
しかし、ＰＭ再生運転を繰り返し行っていると、図４に示すように、ＤＰＦ内にアッシュ３が堆積し、ＰＭ再生運転を行っても、次第にＤＰＦの圧力損失が増加し、また、ＰＭ再生温度を次第に増加させなければ十分な再生が行われなくなる、という問題があり、燃費が悪化する。
【００４１】
本発明では、図５に示すように、ＤＰＦ内に堆積したアッシュ３を細粒径化するので、細粒径化された粒子が、ＤＰＦのフィルタ隙間を通り抜け、排気とともに排出される。
【００４２】
本発明を、図６によって詳しく説明すると、まず、図６（ａ）に示すように、ＤＰＦを使用し続けた場合、エンジンで生成しＰＭに覆われているアッシュ粒子が、ＤＰＦ内でＰＭ再生運転時の高温条件に晒され、アッシュ粒子を覆っていたＰＭが燃焼除去され、ＰＭが燃焼除去されたアッシュ粒子に、更に熱が加わってアッシュ粒子が凝集し、大粒径化したアッシュ３として堆積する。このときアッシュ３の粒子は、硫酸カルシウム（ＣａＳＯ４）が主成分であるが、図６（ａ）において雰囲気が還元雰囲気、例えばストイキ雰囲気又はリッチ雰囲気の場合には、アッシュ３の粒子は、亜硫酸カルシウム（ＣａＳＯ３）に還元される。したがって、ＤＰＦ基材５の上にＳＯ３以上の酸強度の固体酸６が存在する場合には、図６（ｂ）に示すように、アッシュ粒子中のカルシウム（Ｃａ）が、ＳＯ３より強い酸である固体酸６と結合し、アッシュ３は分解する。このときＣａは、固体酸６上に原子状に分散する。次に、固体酸６上に原子状に分散したＣａが、ＳＯ４を含んだ雰囲気に晒されると、例えば、内燃機関からの排気中には、通常ＳＯｘが含まれており、リーン雰囲気の中ではＳＯ４が多く含まれるため、リーン雰囲気に晒されると、図６（ｃ）に示すように、固体酸６上に原子状に分散したＣａが、固体酸６よりも強い酸であるＳＯ４と結合して再度硫酸塩化し、硫酸カルシウム（ＣａＳＯ４）となり、固体酸上から放出される。このときの硫酸カルシウム（ＣａＳＯ４）は、大きさが１ナノメートル以下の細粒径の粒子となっており、この細粒径化粒子は、エアロゾルとなってＤＰＦをすり抜け、その結果、ＤＰＦに堆積したアッシュが除去される。
【００４３】
この場合、ＤＰＦ基材５の上に塗布する固体酸６の酸強度は、ＳＯ３の酸強度よりも大きく、ＳＯ４の酸強度よりも小さくなければならない。固体酸６の酸強度が、ＳＯ３の酸強度以下の場合には、ＣａＳＯ３に還元されたアッシュ粒子中のＣａが、固体酸６と結合せず、したがってアッシュ３は分解せず、また、固体酸６がＳＯ４の酸強度以上の超強酸である場合には、雰囲気中にＳＯ４が存在しても、Ｃａが固体酸６から放出されないからである。
【００４４】
したがって、ＤＰＦ基材５の上に、酸強度がＳＯ３以上、ＳＯ４以下に相当する固体酸を塗布し、アッシュ再生運転中に、ＤＰＦ内の雰囲気の空燃比を、先にストイキ又は空燃比リッチ雰囲気とし、次に空燃比リーン雰囲気に変化させるように制御すると、ＤＰＦ内の大粒径化したアッシュが、細粒径化したアッシュ粒子となってＤＰＦをすり抜け、排出される。
【００４５】
また、以上のアッシュ再生運転を行う場合、ＤＰＦを通過する排気ガスの流速が遅いと、細粒径化されたＣａＳＯ４が滞留して再凝集し、ＤＰＦからの放出が起こりにくくなるという問題がある。すなわち、図５において、ＤＰＦ内に堆積したアッシュ３が細粒径化した場合、ＤＰＦを通過する排気ガスの流速が遅いと、細粒径化したＣａＳＯ４が再凝集し、ＤＰＦからの放出が起こりにくくなる。
【００４６】
そこで、本発明は、ＤＰＦを通過する排気ガスの流速が速いときに、アッシュの放出に必要なＳＯ４を供給し、細粒径化されたＣａＳＯ４が、効果的に放出されるようにする。
【００４７】
これを図７に基づいて説明すると、図７の最上段の２本のグラフは、細線のグラフが、左側の縦軸で示す車両の車速であり、太線のグラフが、右側の縦軸で示す排気ガス流量であるが、排気ガス流量Ｇａが、斜線で示すように、閾値を超えた場合に、上から３番目のグラフの空燃比を、閾値よりもリッチ側、すなわちリーン領域においてストイキに近い領域に制御し、同時に、ＳＯｘ吸放出触媒装置からのＳＯ４の放出を開始する（後述の図３の制御では、これを「加速リッチ制御」という）。図７の最下段のグラフは、ＳＯｘ吸放出触媒装置からのＳＯｘ放出濃度を示すグラフであり、排気ガス流量Ｇａが閾値を超えた場合に、ＳＯｘ吸放出触媒装置からのＳＯ４の放出が開始されることを示している。
【００４８】
以上の制御を行うと、図２のＤＰ３で示すように、いつまでもＤＰＦの圧損が増加しないＤＰＦを構成することができる。すなわち、図２のＤＰ１は、本発明のアッシュ再生制御を行わない場合のＤＰＦの圧損の増加を示し、ＤＰ２は、本発明のアッシュ再生制御を行うが、ＤＰＦを通過する排気ガスの流速が速いときに合わせてアッシュの放出に必要なＳＯ４を供給する制御を行わない場合の、ＤＰＦの圧損の増加を示しており、ＤＰ３は、本発明のＳＯ４を供給する制御が、ＤＰ１やＤＰ２に比べて有利であることを示している。
【００４９】
図３は、上述の制御をフローチャートにしたものであり、ステップ１００で、アッシュ再生を行うと判断した場合、すなわち、図７のアッシュ再生領域ＺＡに入った場合には、ステップ２００に進み、アッシュ再生運転の制御を開始する。ステップ３００で、アッシュ再生運転中に排気ガス流量Ｇａが閾値を超えたかどうか判定し、閾値を超えた場合には、ステップ４００に進み、加速リッチ制御を行う。加速リッチ制御とは、上述したように、空燃比を、リーン領域におけるストイキに近い領域に制御し、同時に、ＳＯｘ吸放出触媒装置からのＳＯ４の放出を開始する制御である。
【００５０】
ステップ３００で、排気ガス流量Ｇａが閾値を超えない場合には、アッシュ再生運転を継続するかどうか判定し、アッシュ再生領域ＺＡである場合には、更に排気ガス流量Ｇａが閾値を超えたかどうかの判定を繰り返し、排気ガス流量Ｇａが閾値を超えた場合の加速リッチ制御を繰り返す。
【００５１】
図３のフローチャートの説明における加速リッチ制御、すなわち図７における、空燃比を、リーン領域におけるストイキに近い領域に制御し、同時に、ＳＯｘ吸放出触媒装置からのＳＯ４の放出を開始する制御を、より詳細に説明するものが、図８であり、図８は、ＤＰＦ内の空燃比と温度に対して、供給するＳＯｘの関係を示している。すなわち、図８において、「少」「多」とは、それぞれ、「ＳＯｘの供給量が少ない」ことと、「ＳＯｘの供給量が多い」ことと、を示しており、図８の関係を制御マップとして制御系に組み込み、空燃比とＳＯｘ供給量との組み合わせ制御を行う。
【００５２】
図９は、本発明の制御の、別の実施例であり、図７の制御と同様の制御を行うが、内燃機関のアフターバーン制御と組み合わせた場合の制御を示し、図９の下段のグラフにおいて、２つのグラフのうち、細線で示すグラフａが、アフター噴射なしの場合であり、太線で示すグラフｂが、アフター噴射ありの場合であり、アフター噴射ありの場合は、排気ガス流量Ｇａが閾値を超えた場合に、アフター噴射を行って、ＤＰＦ内の環境の空燃比を、リーン領域においてストイキに近い領域に移行させて、図７の制御と同様の制御効果を得ることを示している。
【００５３】
また、図１０は、本発明の制御の、更に別の実施例であり、図７の制御と同様の制御を行うが、排気燃料添加弁を備え、燃料添加弁の制御と組み合わせた場合の制御を示し、図９の下段のグラフにおいて、２つのグラフのうち、細線で示すグラフｃが、燃料添加弁制御を行わない場合であり、太線で示すグラフｄが、燃料添加弁制御を行う場合であり、燃料添加弁制御を行う場合は、排気ガス流量Ｇａが閾値を超えた場合に、燃料添加弁制御を行って、ＤＰＦ内の環境の空燃比を、リーン領域においてストイキに近い領域に移行させて、図７の制御と同様の制御効果を得ることを示している。
【００５４】
以上のように、ＤＰＦ基材の上に、酸強度がＳＯ３以上、ＳＯ４以下に相当する固体酸を塗布し、アッシュ再生運転中に、ＤＰＦ内の雰囲気の空燃比を、先にストイキ又は空燃比リッチ雰囲気とし、更に、ＤＰＦを通過する排気の流量が所定値を超えた場合に、空燃比を、ストイキに近いリーン雰囲気に変化させ、ＳＯｘ吸放出触媒装置からＳＯ４を放出するように制御すると、ＤＰＦ２内の大粒径化したアッシュが、完全に除去され、いつまでも性能が低下しないＤＰＦを備えた内燃機関の排気浄化装置を構成することができ、ＤＰＦ２の性能を、長期間にわたって飛躍的に向上させることができるという、有利な効果を奏する。更に、この効果に付随する更なる効果として、ＤＰＦの設置当初から、従来よりも小型のＤＰＦを使用することができ、ＤＰＦの製造コストの低減のみならず、ＰＭ再生運転のエネルギーコストも低減することができる。更に、小型のＤＰＦを使用することができるということは、ＤＰＦの車両への搭載スペースを低減することができ、当該ＤＰＦを搭載した車両の重量を低減することができるという効果があることにも注目すべきである。
【符号の説明】
【００５５】
１  内燃機関
２  ＤＰＦ
３  アッシュ
４  細粒径化粒子
５  ＤＰＦ基材
６  固体酸
３０  ＳＯｘ吸放出触媒装置
Ｌ１：ＳＯｘ吸放出触媒装置入口
Ｌ２：ＤＰＦ入口
Ｌ３：ＤＰＦ出口
ＺＡ：アッシュ再生運転
ＺＮＯＲ：通常運転
ＺＲ：空燃比リッチ運転
【図１】
2013005337.tif 000003
【図２】
2013005337.tif 000004
【図３】
2013005337.tif 000005
【図４】
2013005337.tif 000006
【図５】
2013005337.tif 000007
【図６】
2013005337.tif 000008
【図７】
2013005337.tif 000009
【図８】
2013005337.tif 000010
【図９】
2013005337.tif 000011
【図１０】
2013005337.tif 000012
【国際調査報告】
2013005337.tif 000013
2013005337.tif 000014